(57)【要約】【課題】  簡便性と優れた漂白力を有し、特に泡状で作用させた場合にも優れた漂白効果が得られる漂白洗浄剤組成物を提供する。【解決手段】  （ａ）過酸化水素、（ｂ）陰イオン界面活性剤、（ｃ）ＨＬＢが１０〜１５の非イオン界面活性剤、（ｄ）下記一般式（１）で表される水溶性有機溶剤、（ｅ）アルカノールアマイド、アミンオキサイド及びベタインから選ばれる１種以上の界面活性剤、並びに（ｆ）水を含有し、質量比で（ｃ）／（ｂ）＝０．５〜５、かつ（ｃ）／（ｄ）＝０．５〜５である漂白剤組成物。【選択図】なし【特許請求の範囲】
【請求項１】
（ａ）過酸化水素０．１〜６質量％、（ｂ）陰イオン界面活性剤０．０１〜２質量％、（ｃ）ＨＬＢが１０〜１５の非イオン界面活性剤、（ｄ）下記一般式（１）で表される水溶性有機溶剤０．０１〜２質量％、（ｅ）アルカノールアマイド、アミンオキサイド及びベタインから選ばれる１種以上の界面活性剤０〜３質量％、並びに（ｆ）水を含有し、質量比で（ｃ）／（ｂ）＝０．５〜５、かつ（ｃ）／（ｄ）＝０．５〜５である漂白剤組成物。
Ｒ1a−(ＯＲ1b)n−ＯＨ                        （１）
〔式中、Ｒ1aは炭素数１〜８の炭化水素基であり、Ｒ1bはエチレン基、プロピレン基、又は、−ＣＨ2ＣＨ(ＯＨ)ＣＨ2−で示される基である。ｎは１〜４の数を示す。〕
【請求項２】
２０℃における粘度が２０ｍＰａ・ｓ以下である請求項１記載の漂白剤組成物。
【請求項３】
泡形成機構を有するトリガー式スプレーヤーを具備する容器に充填して使用される請求項１又は２記載の漂白剤組成物。
【請求項４】
請求項１〜３の何れか１項記載の漂白剤組成物を、泡形成機構を有するトリガー式スプレーヤーを具備する容器に充填してなる、漂白剤製品。
【請求項５】
請求項１〜３の何れか１項記載の漂白剤組成物を、泡形成機構を有するトリガー式スプレーヤーを用いて漂白対象に泡状に作用させる漂白方法。
【発明の詳細な説明】
【技術分野】
【０００１】
本発明は、泡塗布用として好適な漂白剤組成物に関する。
【背景技術】
【０００２】
過酸化水素を主基剤とする酸素系液体漂白剤は色・柄物に使用でき、汚れに直接塗布できるなどの利点から好まれて使用されており、特に、液体を泡状に塗布させるトリガータイプは、簡便性に加え、液ダレしにくく、手が汚れない等の使い勝手の点から非常に有用である。泡を形成させる他の剤形としては、スクイズフォーマー（特許文献４、図３等）タイプが市販されているが、容器を手で潰して吐出させる機構上、吐出量と起泡性をコントロールすることが難しいという課題があった。
【０００３】
一方、酸素系液体漂白剤は弱アルカリ洗剤と共に洗濯機に入れて洗浄するか、汚れに直接塗布した後、弱アルカリ洗剤と共に洗濯機で洗浄する方法が一般的であるが、未だその漂白効果は満足できるレベルに及んでいないのが実状である。
【０００４】
特許文献１には、消泡成分を含有し衣料への浸透性に優れた泡物性を有する、成泡機構付き吐出容器入り漂白剤が開示されている。特許文献２には過酸素漂白剤と、界面活性剤とを含んでなるスプレー型ディスペンサー入り液状組成物が開示されている。特許文献３には、アルキルグルコシドを含有する硬質表面用漂白剤が開示されている。特許文献４には、アルキルグルコシドとポリオキシアルキレンエーテルを含有する衣料用泡状組成物が開示されている。
【特許文献１】特開平１１−１００５９４号公報
【特許文献２】特表平１１−５００７７８号公報
【特許文献３】特許第２９５１７８１号
【特許文献４】特開２００４−７６００６号公報
【発明の開示】
【発明が解決しようとする課題】
【０００５】
上記特許文献に開示されている漂白剤組成物は、衣料に直接スプレー出来、スプレー直後の起泡性は得られるものの、経時での泡安定性が低いために、満足の行くレベルの漂白性能が得られないという問題があった。
【０００６】
本発明の課題は、簡便性と優れた漂白性能を両立させた酸素系漂白剤組成物を提供することにある。更には、衣料等の漂白対象に泡状で安定に付着させることで優れた漂白効果が得られる漂白洗浄剤組成物を提供することにある。
【課題を解決するための手段】
【０００７】
本発明は、（ａ）過酸化水素〔以下、（ａ）成分という〕０．１〜６質量％、（ｂ）陰イオン界面活性剤〔以下、（ｂ）成分という〕０．０１〜２質量％、（ｃ）ＨＬＢが１０〜１５の非イオン界面活性剤〔以下、（ｃ）成分という〕、（ｄ）下記一般式（１）で表される水溶性有機溶剤〔以下、（ｄ）成分という〕０．０１〜２質量％、（ｅ）アルカノールアマイド、アミンオキサイド及びベタインから選ばれる１種以上の界面活性剤〔以下、（ｅ）成分という〕０〜３質量％、並びに（ｆ）水を含有し、質量比で（ｃ）／（ｂ）＝０．５〜５、かつ（ｃ）／（ｄ）＝０．５〜５である漂白剤組成物に関する。
Ｒ1a−(ＯＲ1b)n−ＯＨ                        （１）
〔式中、Ｒ1aは炭素数１〜８の炭化水素基であり、Ｒ1bはエチレン基、プロピレン基、又は、−ＣＨ2ＣＨ(ＯＨ)ＣＨ2−で示される基である。ｎは１〜４の数を示す。〕
【０００８】
また、本発明は、上記本発明の漂白剤組成物を、泡形成機構を有するトリガー式スプレーヤーを具備する容器に充填してなる、漂白剤製品に関する。
【０００９】
また、本発明は、上記本発明の漂白剤組成物を、泡形成機構を有するトリガー式スプレーヤーを用いて漂白対象に泡状に作用させる漂白方法に関する。
【発明の効果】
【００１０】
本発明によれば、簡便性と漂白性能に優れた液体酸素系漂白剤組成物が提供される。本発明の漂白剤組成物は、起泡性及び起泡安定性に優れるため、特に泡状で漂白対象に作用するように用いられることが好ましい。また、本発明の漂白剤組成物は、衣料等の繊維製品用として好適である。
【発明を実施するための最良の形態】
【００１１】
＜漂白剤組成物＞
本発明の漂白剤組成物は、（ａ）成分として、使い勝手の良い漂白基剤である、過酸化水素を含有する。（ａ）成分の含有量は、優れた漂白性能を得るために、０．１〜６質量％、好ましくは、０．３〜５質量％、さらに好ましくは、０．５〜４．５質量％である。
【００１２】
本発明の漂白剤組成物は、（ｂ）成分として、泡膜が安定な泡ブースター剤である、陰イオン界面活性剤を含有する。好ましい陰イオン界面活性剤としては、炭素数８〜１８、好ましくは１０〜１６、特に好ましくは１０〜１５の脂肪酸塩、直鎖もしくは分岐鎖のアルキル（炭素数８〜１８）ベンゼンスルホン酸塩、アルキル（炭素数８〜１８）硫酸塩又はアルケニル（炭素数８〜１８）硫酸塩、オレフィン（炭素数８〜１８）スルホン酸塩、アルキレンオキシド平均付加モル数１〜６のポリオキシアルキレンアルキル又はアルケニルエーテル硫酸塩（アルキル基又はアルケニル基の炭素数８〜１８）、アルカン（炭素数８〜１８）スルホン酸塩、α−スルホ脂肪酸塩（炭素数８〜１８）、α−スルホ脂肪酸エステル塩（好ましくは炭素数８〜１８のα−スルホ脂肪酸と炭素数１〜２のアルコールとのエステル塩）、アルキル（炭素数８〜１８）グリセリルエーテルスルホン酸塩等が挙げられる。これらの中でも、特にアルキル（炭素数１０〜１５）ベンゼンスルホン酸塩、α−オレフィン（炭素数１０〜１５）スルホン酸塩、及びα−スルホ脂肪酸エステル塩（好ましくは炭素数１０〜１５のα−スルホ脂肪酸と炭素数１のアルコールとのエステル塩）が好適である。これら（ｂ）成分は単独で使用しても、２種類以上を併用することも可能である。なおこれらの塩としては、ナトリウム塩、カリウム塩、アンモニウム塩、アルカノールアミン塩が貯蔵安定性の点から良好である。（ｂ）成分の含有量は０．０１〜２質量％、好ましくは、０．１〜２質量、０．５〜２質量％である。（ｂ）成分の含有量は、低温での高粘度化の抑制や起泡性の維持の点から、２質量％以下が好ましい。
【００１３】
本発明の漂白剤組成物は、（ｃ）成分として非イオン界面活性剤を含有する。（ｃ）成分のＨＬＢは１０〜１５、好ましくは１１〜１４．５、特に好ましくは１１．５〜１４である。ここでＨＬＢはポリオキシエチレンアルキルエーテル型非イオン界面活性剤を用いる場合にはグリフィンの方法が採用される。また、グリフィンの方法ではＨＬＢを求めることができない非イオン界面活性剤では実験によって求めるものとする。実験方法は「界面活性剤便覧」産業図書株式会社版、西  一郎ら編集、昭和４１年１月１０日第５刷、３１９頁記載の方法を採用することができる。また、複数の非イオン界面活性剤が混合されている場合には、ＨＬＢ値には加成性が成り立つため、加重平均で求めることができ、加重平均値が本発明のＨＬＢ値の範囲に入ればよい。
【００１４】
より具体的に好ましい非イオン界面活性剤としては下記一般式（２）の化合物を挙げることができる。
【００１５】
Ｒ2a−Ｔ−［（Ｒ2bＯ）w−Ｈ］v      （２）
〔式中、Ｒ2aは炭素数１０〜１６、好ましくは１０〜１４の炭化水素基、より好ましくは炭素数１０〜１４のアルキル基であり、Ｒ2bはエチレン基又はプロピレン基、好ましくはエチレン基であり、Ｔは−Ｏ−、−ＣＯＯ−、−ＣＯＮ＜、−Ｎ＜から選ばれる基であり、ｗ、ｖは本発明のＨＬＢの範囲に入るように選ばれる。ｖはＴが−Ｏ−、又は−ＣＯＯ−の場合には１の数であり、Ｔが−ＣＯＮ＜、又は−Ｎ＜の場合には２の数であり、Ｔが−Ｏ−、又は−ＣＯＯ−の場合にはｗは４〜１６、好ましくは５〜１４、より好ましくは６〜１０が好ましく、Ｔが−ＣＯＮ＜、又は−Ｎ＜、の場合にはｗは２〜８、好ましくは２〜７、より好ましくは３〜６が好適である。〕
【００１６】
（ｃ）成分としてより具体的に好ましい例としては、下記一般式（２−１）の化合物及び下記一般式（２−２）の化合物から選ばれる１種以上が好適である。
【００１７】
Ｒ2c−Ｏ−(Ｃ2Ｈ4Ｏ)u−Ｈ                  （２−１）
〔式中、Ｒ2cは炭素数１０〜１４のアルキル基を示す。ｕは４〜１２、好ましくは５〜１０、更に好ましくは６〜８．５、特に好ましくは７〜８．５の数である。〕
Ｒ2d−Ｏ−[(Ｃ2Ｈ4Ｏ)t／(Ｃ3Ｈ6Ｏ)s]−Ｈ    （２−２）
〔式中、Ｒ2dは炭素数１０〜１４のアルキル基を示す。ｔ及びｓはそれぞれ独立に２〜１２の数であり、ｔ+ｓは４〜１２、好ましくは５〜１０の数である。また、エチレンオキシド（Ｃ2Ｈ4Ｏ）とプロピレンオキシド（Ｃ3Ｈ6Ｏ）はランダムあるいはブロック付加体であってもよい。〕
【００１８】
本発明の漂白剤組成物は、（ｃ）成分を０．１〜２０質量％、更に０．５〜１５質量％、特に１〜１０質量％含有することが好ましい。
【００１９】
本発明では、洗浄効果を高める泡安定性の点から、（ｂ）成分と（ｃ）成分の質量比を（ｃ）／（ｂ）＝０．５〜５、好ましくは０．８〜４．５、さらに好ましくは１〜４とする。
【００２０】
本発明の漂白剤組成物は、（ｄ）成分として下記一般式（１）の水溶性有機溶剤を含有する。
Ｒ1a−(ＯＲ1b)n−ＯＨ                        （１）
〔式中、Ｒ1aは炭素数１〜８、好ましくは３〜８の炭化水素基（例えば、アルキル基、アリル基であり、特にアリル基としてはフェニル基が好ましい）、Ｒ1bはエチレン基、プロピレン基、又は、−ＣＨ2ＣＨ(ＯＨ)ＣＨ2−（特にエチレン基が好ましい）で示される基である。ｎは１〜４、好ましくは１〜３の数を示す。〕
【００２１】
一般に水溶性有機溶剤は、破泡剤や消泡剤としての認識が強いが、本発明では、（ｂ）成分と（ｃ）成分の比率をコントロールすると共に、上記（ｃ）成分と特定の比率で（ｄ）成分を併用することにより、大幅な増泡作用と泡安定化効果を有する漂白剤組成物が得られる。こうした知見に基づき本発明は完成されるに至ったものであるが、上記先行技術からはこのような本発明につながる特段の知見を得ることはできない。
【００２２】
（ｄ）成分の好ましい具体例としては、エチレングリコールモノブチルエーテル、ジエチレングリコールモノブチルエーテル、プロピレングリコールモノメチルエーテル、プロピレングリコールモノブチルエーテル、ジプロピレングリコールモノブチルエーテル、エチレングリコールモノペンチルエーテル、ジエチレングリコールモノペンチルエーテル、プロピレングリコールモノペンチルエーテル、ジプロピレングリコールモノペンチルエーテル、エチレングリコールモノヘキシルエーテル、ジエチレングリコールモノヘキシルエーテル、プロピレングリコールモノヘキシルエーテル、ジプロピレングリコールモノヘキシルエーテル、グリコールモノフェニルエーテル、ジエチレングリコールモノフェニルエーテル、トリエチレングリコールモノフェニルエーテル、ペンチルグリセリルエーテル、ヘキシルグリセリルエーテル、ヘプチルグリセリルエーテル、オクチルグリセリルエーテル、２−エチルヘキシルグリセリルエーテル、ペンチルジグリセリルエーテル、ヘキシルジグリセリルエーテル、ヘプチルジグリセリルエーテル、オクチルジグリセリルエーテル、２−エチルヘキシルジグリセリルエーテル、エタノール等を挙げることができる。
【００２３】
本発明ではこれらの中でも特に、ジエチレングリコールモノブチルエーテル、グリコールモノフェニルエーテル、ジエチレングリコールモノフェニルエーテル、トリエチレングリコールモノフェニルエーテルが好適である。
【００２４】
（ｄ）成分の含有量は、起泡性及び起泡安定性を高める観点から、０．０１〜２質量％であり、０．０５〜１．８質量％が好ましく、０．１〜１．５質量％が更に好ましい。
【００２５】
また、本発明の組成物中の（ｃ）成分と（ｄ）成分の質量比は、起泡性及び起泡安定性、更には洗浄漂白力を得る観点から、（ｃ）／（ｄ）＝０．５〜５であり、１〜４が更に好ましい。
【００２６】
本発明では（ｅ）成分として、増泡性の点から、アルカノールアマイド、アミンオキサイド及びベタインから選ばれる１種以上の界面活性剤を含有することが好ましい。
【００２７】
本発明のアルカノールアマイドの例としては、下記一般式（３）に示すものが好適である。
Ｒ3a―ＣＯＮ−Ｒ3b（Ｒ3cＯＨ）                      （３）
〔式中、Ｒ3a−ＣＯ−は、炭素数８〜１８の炭化水素基を有するアシル基、Ｒ3bは、メチル基又はエチル基、Ｒ3cは、炭素数１〜３のアルキレン基又はアルケニレン基である。〕
【００２８】
一般式（３）中、Ｒ3a−ＣＯ−は、炭素数８〜１８のアシル基（便宜上アシル基と表記する）であって、且つＲ3aが飽和又は不飽和の炭化水素基であるものが好ましい。Ｒ3a−ＣＯ−の好ましい具体例としてはオクタン酸、デカン酸、ドデカン酸、テトラデカン酸、ヘキサデカン酸、オクタデカン酸、ドコサン酸、リノール酸、２−エチルヘキサン酸、２−オクチルウンデカン酸、イソステアリン酸、オレイン酸から誘導されるアシル基が挙げられ、特に好ましくは、オクタン酸、デカン酸、ドデカン酸、テトラデカン酸、ヘキサデカン酸、オクタデカン酸、オレイン酸から誘導されるアシル基である。また、本発明では該アシル基が単独のアルキル基又はアルケニル基を有するものであっても差し支えないが、Ｒ3a−ＣＯ−に対応する脂肪酸が混合脂肪酸であることが洗浄効果、及び起泡力の点から好適である。好ましい混合脂肪酸組成は脂肪酸中の質量％として以下の組成が好適である。なお、これ以外の脂肪酸を含有しても差し支えないが、下記に示した脂肪酸の合計質量が１００質量％となるように調製されることが貯蔵安定性の点から望ましい。カプリル酸；１〜１０質量％、好ましくは３〜６質量％、カプリン酸；１〜１２質量％、好ましくは３〜７質量％、ラウリン酸；４４〜６０質量％、好ましくは４４〜５５質量％、ミリスチン酸；１０〜２２質量％、好ましくは１０〜１７質量％、パルミチン酸；４〜１０質量％、好ましくは６〜１０質量％、ステアリン酸；０〜１０質量％、好ましくは１〜７質量％、オレイン酸；０〜１７質量％、好ましくは１〜１７質量％。
【００２９】
また、一般式（３）においてＲ3bは、メチル基又はエチル基であり、洗浄効果、起泡性、及び貯蔵安定性の点から好ましくはメチル基である。更にＲ3cは炭素数１〜３のアルキレン基又はアルケニレン基であり、洗浄効果の点から好ましくは炭素数２もしくは３の直鎖又は分岐鎖のアルキレン基である。
【００３０】
アルカノールアマイドの好ましい具体例としてＮ−エタノール−Ｎ−メチルオクタン酸アミド、Ｎ−エタノール−Ｎ−メチルデカン酸アミド、Ｎ−エタノール−Ｎ−メチルドデカン酸アミド、Ｎ−エタノール−Ｎ−メチルテトラデカン酸アミド、Ｎ−エタノール−Ｎ−メチルヘキサデカン酸アミド、Ｎ−エタノール−Ｎ−メチルオクタデカン酸アミド、Ｎ−イソプロパノール−Ｎ−エチルドデカン酸アミド、Ｎ−エチル−Ｎ−イソプロパノールオレイン酸アミド、Ｎ−エチル−Ｎ−イソプロパノールイソステアリン酸アミド、Ｎ−エタノール−Ｎ−メチルヤシ脂肪酸アミド、Ｎ−エタノール−Ｎ−メチルパーム核油脂肪酸アミドを挙げることができる。
【００３１】
本発明のアミンオキサイドの例としては、下記一般式（４）に示すものが好適である。
【００３２】
【化１】
2006257347.tif 000002
【００３３】
〔式中、Ｒ4aは炭素数８〜１６、好ましくは１０〜１６、特に好ましくは１０〜１４の直鎖アルキル基又はアルケニル基であり、Ｒ4c、Ｒ4dは炭素数１〜３のアルキル基又はヒドロキシアルキル基である。Ｒ4bは炭素数１〜５、好ましくは２又は３のアルキレン基である。Ｙは−ＣＯＯ−、−ＣＯＮＨ−、−ＯＣＯ−、−ＮＨＣＯ−、−Ｏ−から選ばれる基であり、ｍは０又は１、好ましくは１の数である。〕
【００３４】
本発明のベタインの例としては、下記一般式（５）に示すものが好適である。
【００３５】
【化２】
2006257347.tif 000003
【００３６】
〔式中、Ｒ5aは炭素数９〜２３、好ましくは９〜１７、特に好ましくは１０〜１６のアルキル基又はアルケニル基であり、Ｒ5bは炭素数１〜６、好ましくは１〜４、特に好ましくは２又は３のアルキレン基である。Ｖは−ＣＯＯ−、−ＣＯＮＨ−、−ＯＣＯ−、−ＮＨＣＯ−、−Ｏ−から選ばれる基であり、ｋは０又は１の数、好ましくは０である。Ｒ5c、Ｒ5dは、炭素数１〜３のアルキル基又はヒドロキシアルキル基、好ましくはメチル基、エチル基又はヒドロキシエチル基であり、Ｒ5eはヒドロキシ基で置換していてもよい炭素数１〜５、好ましくは１〜３のアルキレン基である。Ｄは、−ＳＯ3-、−ＯＳＯ3-から選ばれる基であり、特に−ＳＯ3-が漂白洗浄効果の点から良好である。〕
【００３７】
（ｅ）成分の含有量は、０〜３質量％であり、起泡性の観点から、０．０１〜２．５質量％が好ましく、０．１〜２質量％が更に好ましい。（ｅ）成分を含有しない組成物は組成物の生地臭を低減できる点でメリットがあるが、泡安定化効果を向上させるためには（ｅ）成分を含有する方が好ましい。
【００３８】
本発明の漂白剤組成物は、上記（ａ）成分〜（ｅ）成分及び任意成分を（ｆ）成分である水に溶解させた水溶液等、液体組成物の形態であり、用いる水は、微量に水に溶解している金属を除去したイオン交換水、又は蒸留水が貯蔵安定性の点から好適である。（ｆ）成分の含有量は好ましくは７５〜９８質量％、より好ましくは８０〜９５質量％である。
【００３９】
本発明の漂白剤組成物は、２０℃におけるｐＨが好ましくは１〜７、より好ましくは２〜６．５、さらに好ましくは２．５〜６である。このようなｐＨに調整するためのｐＨ調整剤としては塩酸や硫酸など無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましく、特に塩酸及び硫酸から選ばれる酸と水酸化ナトリウム及び水酸化カリウムから選ばれるアルカリ剤とを用いることが好ましい。ｐＨは、（株）堀場製作所製ｐＨメータＦ５２、ｐＨ電極６３６７−１０Ｄを用いて測定したものである。
【００４０】
本発明の漂白剤組成物は、スプレー時に充分な液の流量と流速を得、スムーズなスプレー操作を行う観点から、低粘度であることが好ましく、２０℃における粘度が２０ｍＰａ・ｓ以下であることが好ましく、１〜１０ｍＰａ・ｓが更に好ましく、３〜８ｍＰａ・ｓであることが特に好ましい。
【００４１】
なお、本発明の漂白剤組成物の粘度とは以下の様に測定されたものである。東京計器（株）製Ｂ型粘度計に、ローター番号Ｎｏ．１を備え付けたものを準備する。漂白剤組成物をトールビーカーに入れ、２０℃の恒温槽にて２０℃に調整した漂白剤組成物を粘度計にセットし、ローターの回転数を６０ｒｐｍに設定し、回転を始めてから６０秒後の粘度を本発明の粘度とする。
【００４２】
このような粘度に調整するために本発明では粘度調整剤を配合することができる。粘度調整剤としては、（ｉ）炭素数１〜３のアルキル基、もしくはヒドロキシ基が１〜３個置換していてもよいベンゼンスルホン酸、（ii）分子量３０００〜１０００００のポリエチレングリコール又はポリプロピレングリコール、（iii）キサンタンガム、グアガム、カルボキシメチルセルロースから選ばれる糖系高分子化合物、（iv）炭素数１２〜２０、好ましくは１４〜１８のアルキル基又はアルケニル基と平均付加モル数が６０〜２００、好ましくは１００〜２００のポリオキシエチレン鎖を有する非イオン界面活性剤、及び（ｖ）該（iv）の非イオン界面活性剤とビニルシクロヘキセンジエポキシド等のジエポキシ化合物との反応生成物、等を用いることができる。このような粘度調整剤の組成物中の含有量は０〜１０質量％、好ましくは０．０１〜５質量％が好適である。
【００４３】
本発明の漂白剤組成物は、漂白効果を向上させる目的から金属イオン封鎖剤を含有することができる。例えば、（１）フィチン酸等のリン酸系化合物又はこれらのアルカリ金属塩もしくはアルカノールアミン塩、（２）エタン−1,1−ジホスホン酸、エタン−1,1,2−トリホスホン酸、1−ヒドロキシエチリデン−1,1−ジホスホン酸（エタン−1−ヒドロキシ−1,1−ジホスホン酸）およびその誘導体、エタンヒドロキシ−1,1,2−トリホスホン酸、エタン−1,2−ジカルボキシ−1,2−ジホスホン酸、メタンヒドロキシホスホン酸等のホスホン酸又はこれらのアルカリ金属塩もしくはアルカノールアミン塩、（３）２−ホスホノブタン−1,2−ジカルボン酸、１−ホスホノブタン−2,3,4−トリカルボン酸、α−メチルホスホノコハク酸等のホスホノカルボン酸又はこれらのアルカリ金属塩もしくはアルカノールアミン塩、（４）アスパラギン酸、グルタミン酸、グリシン等のアミノ酸又はこれらのアルカリ金属塩もしくはアルカノールアミン塩、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩もしくはアルカノールアミン塩、（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩もしくはアルカノールアミン塩、（７）ゼオライトＡに代表されるアルミノケイ酸のアルカリ金属塩又はアルカノールアミン塩、（８）アミノポリ（メチレンホスホン酸）もしくはそのアルカリ金属塩もしくはアルカノールアミン塩、又はポリエチレンポリアミンポリ（メチレンホスホン酸）もしくはそのアルカリ金属塩もしくはアルカノールアミン塩を挙げることができる。
【００４４】
これらの中で上記（２）、（５）、（６）および（７）からなる群より選ばれる少なくとも１種が好ましく、上記（２）からなる群より選ばれる少なくとも１種がさらに好ましい。金属イオン封鎖剤の含有量は、好ましくは０．００５〜５質量％、さらに好ましくは０．０１〜２質量％である。
【００４５】
本発明の漂白剤組成物は、更に他の成分として、漂白活性化剤、蛍光増白剤、香料、染料や顔料の様な着色剤、再汚染防止剤、シリコーン類、ハイドロトロープ剤、殺菌剤、抗菌剤、紫外線吸収剤、漂白基剤の安定化剤など、通常漂白剤に配合可能な公知の成分を含むことができる。
【００４６】
漂白活性化剤としては、アルカノイルオキシベンゼン型漂白活性化剤が好ましく、特に炭素数８〜１４、好ましくは８〜１３のアルカノイル基を有するアルカノイルオキシベンゼンスルホン酸もしくは炭素数８〜１４、好ましくは８〜１３のアルカノイル基を有するアルカノイルオキシベンゼンカルボン酸又はこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００４７】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００４８】
本発明の漂白剤組成物は、漂白活性化剤を０〜５質量％、好ましくは０．０１〜３質量％、特に好ましくは０．１〜１質量％含有する。
【００４９】
シリコーン類の含有量は、起泡性及び泡安定性の観点から０．５質量％未満が好ましい。
【００５０】
＜漂白剤製品＞
本発明の漂白剤組成物は、特に、起泡安定性の高い泡を汚れに直接作用させることで、優れた洗浄漂白効果が得られる。このため、漂白対象に泡状で作用させることが好ましく、泡形成機構を有するトリガー式スプレーヤーを具備する容器に充填してなる容器入りの漂白剤製品として用いることがより好ましい。
【００５１】
本発明で用いることができるトリガー式スプレーヤーとしては、特開２００４−７６００６の図１及び図２、特開平１１−１００５９４の図１及び図２、登録実用新案第３０４４０６８号の図１〜６、特開２０００−１８５２４７の図１〜９、特開２００１−３３４１７８の図１〜１０記載の吐出機を有するトリガー、特開２００２−２０２６６、特開平７−２５６１６２、特開平８−７１４６３、特開平９−２８５７４６、特開平１０−８５６３７、実開平７−９４５１、実開平７−９４５２を参考にすることができる。
【００５２】
本発明では、上記本発明の漂白剤組成物から形成させた泡を衣料に付着させた後、一般の弱アルカリ性洗剤と共に洗濯する。泡の付着量は０．１〜１ｇ／ｃｍ2、好ましくは０．１〜０．５ｇ／ｃｍ2が高い漂白効果を得る目的から好ましい。また、泡を付着させた後、１〜６００分間、好ましくは３〜３００分間、特に好ましくは５〜６０分間放置した後洗浄することが好適である。
【実施例】
【００５３】
＜配合成分＞
以下の実施例、比較例で用いた成分は以下の通りである。これらを用いて表１の液体漂白剤組成物を調製し、以下の評価を行った。結果を表１に示す。なお、表１中、比較例２、５は、便宜的にｃ−１’、ｃ−２’を（ｃ）成分として質量比を計算した。
【００５４】
・ａ−１；過酸化水素
・ｂ−１；直鎖アルキル（炭素数１１〜１５）ベンゼンスルホン酸ナトリウム
・ｂ−２；α−オレフィン（炭素数１４〜１８）スルホン酸ナトリウム
・ｂ−３；エチレンオキサイド（以下、ＥＯと表記する）平均付加モル数数３のポリオキシエチレンラウリルエーテル硫酸ナトリウム
・ｃ−１；ポリオキシエチレンラウリルエーテル（ＥＯ平均付加モル数８、ＨＬＢ１３．１）
・ｃ−２；ポリオキシエチレンミリスチルエーテル（ＥＯ平均付加モル数７、ＨＬＢ１２．４）
・ｃ−１’；ポリオキシエチレンラウリルエーテル（ＥＯ平均付加モル数１３、ＨＬＢ１５．５）
・ｃ−２’；ポリオキシエチレンパルミチルエーテル（ＥＯ平均付加モル数４、ＨＬＢ９．２）
・ｄ−１；ジエチレングリコールモノブチルエーテル
・ｄ−２；ジエチレングリコールモノフェニルエーテル
・ｄ−３；トリエチレングリコールモノフェニルエーテル
・ｅ−１；ラウリルジメチルアミンオキサイド
・金属イオン封鎖剤；デイクエスト２０１０（ソルーシア社製デイクエスト）、１−ヒドロキシエチリデン−１，１−ジホスホン酸
・ｆ−１；イオン交換水
【００５５】
（１）起泡性の評価方法
２００ｍｌのプラスティック製メスシリンダー（内径４０ｍｍ）に、市販トリガー容器（花王（株）社製アタック  シュッと泡スプレー／製造ロット番号：W1410474、１回のストロークで０．８ｇ噴射する。中身を抜いて水で数回洗浄し、乾燥させたものに組成物を充填し使用。）を用いて表１の液体漂白剤組成物を１０回スプレーし、その時の組成物の質量と泡の容積から、以下の計算式（１−１）から起泡性（ｍｌ／ｇ）を算出した。スプレー直後及び５分後の起泡性の値から、以下の計算式（１−２）により泡安定性（％）を算出した。
起泡性（ml/g）＝泡体積（ml）／組成物質量（g）        （１−１）
泡安定性（％）＝〔５分後の起泡性（ml/g）／直後の起泡性（ml/g）〕×１００        （１−２）
【００５６】
（２）漂白性能の評価方法
上記（１）で用いたトリガー容器に各組成物を充填したものを用いて、下記で調製したミートソース汚染布４枚にそれぞれ１回ずつ噴霧し組成物を泡状で塗布して、２０℃で５分間放置後、０．０６６７質量％濃度の市販洗剤溶液を使ってターゴトメーターにて洗浄した（８０ｒｐｍ×１０分）後、水道水ですすぎ乾燥させて、下式により漂白率を求めた。汚染布４枚の漂白率の平均値を表１に示す。
【００５７】
【数１】
2006257347.tif 000004
【００５８】
反射率は日本電色工業（株）製ＮＤＲ−１０ＤＰで４６０ｎｍフィルターを使用して測定した。
【００５９】
＊ミートソース汚染布の調製
カゴメ（製）ミートソース（完熟トマトのミートソース／内容量259ｇの缶詰／製造ロット番号：D3611JI）の固形分をメッシュ（目開き；500μｍ）で除去した後、得られた液を煮沸するまで加熱した。この液に木綿金布＃2003を浸し、約１５分間煮沸した。そのまま火からおろし約２時間程度放置し室温まで放置した後、布を取りだし、余分に付着しているカレー液をへらで除去し、自然乾燥させた。その後プレスし、１０ｃｍ×１０ｃｍの試験布として実験に供した。
【００６０】
【表１】
2006257347.tif 000005
【００６１】
以上の結果から、本発明の（ａ）成分、（ｂ）成分、（ｃ）成分、（ｄ）成分、（ｅ）成分を含有する系であって、（ｃ）／（ｂ）質量比、（ｃ）／（ｄ）質量比を特定範囲とすることにより、起泡安定性が改善され、高い洗浄漂白効果が得られることが確認された。